(57)【要約】【課題】冷却水温が大きく変動するような運転条件であっても、燃料電池の入口水温を適正に確保する。【解決手段】燃料電池１の冷却水出口部１ａとラジエータ３とを冷却水出口流路５で接続し、燃料電池１の冷却水入口部１ｂとラジエータ３とを冷却水入口流路７で接続する。この冷却水入口流路７に、燃料電池１の入口目標水温よりも低温の相変化温度をもつ低温側潜熱蓄熱材１９と、同高温の相変化温度を持つ高温側潜熱蓄熱材２１とを互いに直列に配置した蓄熱材部を設け、この蓄熱材部の入口水温を検出する混合水温センサ３７を設ける。そして、蓄熱材部の入口水温が、低温側と高温側の各潜熱蓄熱材１９，２１の相変化温度の間に入るように、ラジエータ３に送風する冷却ファン１１および三方弁１５を作動させる【選択図】      図１
2004247096.tif 000002
【特許請求の範囲】
【請求項１】
燃料電池とラジエータとを冷却水循環流路で接続し、この冷却水循環流路に、冷却水を循環させる冷却水ポンプと、前記燃料電池から出た冷却水が前記ラジエータをバイパスするラジエータバイパス流路と、前記燃料電池から出た冷却水を、前記ラジエータと前記ラジエータバイパス流路との少なくともいずれか一方に流れるよう流路を切り替えるラジエータバイパス流路切替弁と、前記燃料電池の冷却水入口温度または同冷却水出口温度に基づき作動して前記ラジエータに送風する冷却ファンとを、それぞれ備える燃料電池車両の冷却システムにおいて、前記燃料電池の冷却水入口部に、燃料電池の入口目標水温よりも低温の相変化温度をもつ低温側潜熱蓄熱材と、同高温の相変化温度を持つ高温側潜熱蓄熱材とを互いに直列に配置した蓄熱材部を設けるとともに、この蓄熱材部の入口水温を検出する水温センサを設け、この水温センサが検出する前記蓄熱材部の入口水温が、前記低温側と高温側の各潜熱蓄熱材の相変化温度の間に入るように、前記冷却ファンおよび前記ラジエータバイパス流路切替弁を作動させることを特徴とする燃料電池車両の冷却システム。
【請求項２】
請求項１記載の燃料電池車両の冷却システムにおいて、前記蓄熱材部をバイパスする蓄熱材バイパス流路を設けるとともに、冷却水が、前記蓄熱材バイパス流路に流れる状態と前記蓄熱材部に流れる状態とのいずれかに流路を切り替える蓄熱材バイパス流路切替弁を設け、前記燃料電池の暖機運転中は、冷却水を前記蓄熱材バイパス流路に流すよう前記蓄熱材バイパス流路切替弁を切り替えることを特徴とする燃料電池車両の冷却システム。
【請求項３】
請求項２記載の燃料電池車両の冷却システムにおいて、前記蓄熱材部の温度を検出する温度センサを設け、前記水温センサが検出する冷却水温が前記温度センサが検出する蓄熱材部の温度よりも低い場合は、冷却水を前記蓄熱材部に通過させてから前記燃料電池へ流すよう前記蓄熱材バイパス流路切替弁を切り替えることを特徴とする燃料電池車両の冷却システム。
【請求項４】
請求項３記載の燃料電池車両の冷却システムにおいて、冷却水が、前記蓄熱材部のうち前記低温側潜熱蓄熱材をバイパスするとともに、高温側潜熱蓄熱材へ流入する低温側潜熱蓄熱材バイパス流路を設け、前記蓄熱材部の温度として前記高温側潜熱蓄熱材の温度を検出する温度センサを設け、前記水温センサが検出する冷却水温が、前記温度センサが検出する高温側潜熱蓄熱材の温度よりも低い場合は、冷却水を前記低温側潜熱蓄熱材バイパス流路に流すよう前記蓄熱材バイパス流路切替弁を切り替えることを特徴とする燃料電池車両の冷却システム。
【請求項５】
請求項４記載の燃料電池車両の冷却システムにおいて、前記低温側潜熱蓄熱材を前記高温側潜熱蓄熱材の上流側に配置し、この低温側潜熱蓄熱材をバイパスする前記低温側潜熱蓄熱材バイパス流路の上流側端部に、前記蓄熱材バイパス流路切替弁を配置してこれを四方弁で構成したことを特徴とする燃料電池車両の冷却システム。
【発明の詳細な説明】
【０００１】
【発明の属する技術分野】
この発明は、燃料電池とラジエータとを冷却水循環流路で接続して構成した燃料電池車両の冷却システムに関する。
【０００２】
【従来の技術】
従来の技術としては、例えば  特許文献１に記載のものがある。
【０００３】
【特許文献１】
特開２０００−３１５５１３号公報
【０００４】
これは、燃料電池冷却用の第１のラジエータと、燃料電池以外の構成部品冷却用の第２のラジエータと、冷却水を循環させるポンプと、ラジエータに冷却風を送風する冷却ファンとを、それぞれ備えている。
【０００５】
そして、通常の運転状態では、燃料電池を第１のラジエータ経路で、燃料電池以外の構成部品を第２のラジエータ経路でそれぞれ個別に冷却する。一方、燃料電池が過冷状態にあるとき、例えば燃料電池が比較的低出力つまりその放熱量が比較的少ない場合には、第１のラジエータ経路によって燃料電池と燃料電池以外の構成部品の双方を冷却するように冷却水流路を切り替えるようにしている。
【０００６】
これにより、燃料電池の冷却水温度の低下および燃料電池の内部温度の低下を抑え、燃料電池の内部温度の低下による出力低下防止を図っている。
【０００７】
また、特許文献２には、蓄熱材を用いて燃料電池の暖機を行う技術が開示されている。
【０００８】
【特許文献２】
特開２００２−４２８４６号公報
【０００９】
【発明が解決しようとする課題】
しかしながら、上記した従来のものは、例えば車両の加速状態など、燃料電池の冷却水温が大きく変動するような運転条件では、燃料電池の入口水温を適正に確保することが困難となっている。
【００１０】
そこで、この発明は、冷却水温が大きく変動するような運転条件であっても、燃料電池の入口水温を適正に確保することを目的としている。
【００１１】
【課題を解決するための手段】
前記目的を達成するために、この発明は、燃料電池とラジエータとを冷却水循環流路で接続し、この冷却水循環流路に、冷却水を循環させる冷却水ポンプと、前記燃料電池から出た冷却水が前記ラジエータをバイパスするラジエータバイパス流路と、前記燃料電池から出た冷却水を、前記ラジエータと前記ラジエータバイパス流路との少なくともいずれか一方に流れるよう流路を切り替えるラジエータバイパス流路切替弁と、前記燃料電池の冷却水入口温度または同冷却水出口温度に基づき作動して前記ラジエータに送風する冷却ファンとを、それぞれ備える燃料電池車両の冷却システムにおいて、前記燃料電池の冷却水入口部に、燃料電池の入口目標水温よりも低温の相変化温度をもつ低温側潜熱蓄熱材と、同高温の相変化温度を持つ高温側潜熱蓄熱材とを互いに直列に配置した蓄熱材部を設けるとともに、この蓄熱材部の入口水温を検出する水温センサを設け、この水温センサが検出する前記蓄熱材部の入口水温が、前記低温側と高温側の各潜熱蓄熱材の相変化温度の間に入るように、前記冷却ファンおよび前記ラジエータバイパス流路切替弁を作動させる構成としてある。
【００１２】
【発明の効果】
この発明によれば、燃料電池の冷却水入口部に、燃料電池の目標入口水温よりも低温の相変化温度をもつ低温側潜熱蓄熱材と、同高温の相変化温度を持つ高温側潜熱蓄熱材とを直列に備えた蓄熱材部を設けるとともに、この蓄熱材部の入口水温を検知する水温センサを設け、蓄熱材部の入口水温が低温側と高温側の各潜熱蓄熱材の相変化温度の間に入るように、ラジエータに送風する冷却ファンおよびラジエータバイパス流路切替弁を作動させるようにしたので、冷却水温が大きく変動するような運転条件であっても、燃料電池の入口水温を適正に確保することができる。
【００１３】
【発明の実施の形態】
以下、この発明の実施の形態を図面に基づき説明する。
【００１４】
図１は、この発明の一実施形態に係わる燃料電池システムの全体構成図である。燃料電池１の冷却水出口部１ａとラジエータ３の冷却水入口部３ａとを、冷却水出口流路５で接続するとともに、ラジエータ３の冷却水出口部３ｂと燃料電池１の冷却水入口部１ｂとを、冷却水入口流路７で接続する。冷却水出口流路５と冷却入出口流路７とで冷却水循環流路を構成している。
【００１５】
冷却水入口流路７には、冷却水ポンプ９を設置して冷却水を矢印Ｗで示す方向に循環させる。ラジエータ３には、ラジエータ３に対して冷却風を送風する冷却ファン１１を設けてある。
【００１６】
ラジエータ３と冷却水ポンプ９との間の冷却水入口流路７と、冷却水出口流路５とは、ラジエータバイパス流路１３で接続する。このラジエータバイパス流路１３と冷却水出口流路５との接続部には、燃料電池１から出た冷却水を、ラジエータ３に向かう経路Ｂとラジエータバイパス流路１３に向かう経路Ａとの少なくともいずれか一方に流れるよう流路を切り替えるラジエータバイパス流路切替弁としての三方弁１５を設ける。
【００１７】
また、ラジエータバイパス流路１３には、燃焼器と熱交換器とをそれぞれ備えた冷却水加熱器１７を設け、冷却水温が燃料電池１の暖機が必要なほど低下している場合、水素などの燃料電池１の燃料を燃焼させて冷却水を加熱する。
【００１８】
冷却水ポンプ９と燃料電池入口部１ｂとの間の冷却水入口流路７には、上流側に、燃料電池１の入口目標水温よりも低温の相変化温度をもつ低温側潜熱蓄熱材１９を、下流側に、同高温の相変化温度を持つ高温側潜熱蓄熱材２１を、互いに直列に配置して、これらを蓄熱材部とする。
【００１９】
また、上記した２つの蓄熱材１９，２１をバイパスする蓄熱材バイパス流路２３を設けるとともに、低温側潜熱蓄熱材１９をバイパスする低温側潜熱蓄熱材バイパス流路２５を設ける。蓄熱材バイパス流路２３および低温側潜熱蓄熱材バイパス流路２５のそれぞれの上流側端部と、冷却水入口流路７との接続部には、蓄熱材バイパス流路切替弁としての四方弁２７を設置する。
【００２０】
すなわち、四方弁２７により、冷却水が、低温側潜熱蓄熱材１９および高温側潜熱蓄熱材２１の双方を流れる経路Ｄと、低温側潜熱蓄熱材１９をバイパスして高温側潜熱蓄熱材２１を流れる経路Ｅと、低温側潜熱蓄熱材１９および高温側潜熱蓄熱材２１の双方をバイバスする経路Ｃとに、切り替える。
【００２１】
低温側潜熱蓄熱材１９および高温側潜熱蓄熱材２１には、温度センサ２９および３１をそれぞれ設けて低温側潜熱蓄熱材１９および高温側潜熱蓄熱材２１の温度を検出する。また、燃料電池１の冷却水出口部１ａと三方弁１５との間の冷却水出口流路５には燃料電池出口水温センサ３３を、ラジエータバイパス流路１３と冷却水入口流路７との接続部と、ラジエータ３との間の冷却水入口流路７には、ラジエータ出口水温センサ３５を、冷却水ポンプ９と四方弁２７との間の冷却水入口流路７には、混合水温センサ３７を、蓄熱材バイパス流路２３と冷却水入口流路７との接続部と、燃料電池１の冷却水入口部１ｂとの間の冷却水入口流路７には、燃料電池入口水温センサ３９を、それぞれ設ける。
【００２２】
上記した温度センサ２９，３１および各水温センサ３３，３５，３７，３９の検出値は、燃料電池１の負荷とともにコンローラ４１が取り込み、コントローラ４１は、冷却水ポンプ９，冷却ファン１１，三方弁１５および四方弁２７を駆動制御する。
【００２３】
また、ラジエータ３と三方弁１５との間の冷却水出口流路５には、リザーバタンク４３を設けてある。さらに、燃料電池１の冷却水入口部１ｂと燃料電池入口水温センサ３９との間の冷却水入口流路７と、燃料電池出口水温センサ３３と三方弁１５との間の冷却水出口流路５とを、ヒータコア４５を備えた暖房用冷却水流路４７で接続する。この暖房用冷却水流路４７と前記した蓄熱材バイパス流路２３とを暖房用流路４５ａで接続している。
【００２４】
上記したヒータコア４５には、冷却水ポンプ９が吐出する冷却水が流れ込み、空調装置に熱を伝達する。
【００２５】
次に作用を説明する。
燃料電池１は、所要の温度（例えば７０℃強）の冷却水にて冷却することにより、高い運転効率を確保できる。したがって、燃料電池１の冷却水入口部１ｂでの冷却水温を、最適な温度に保つことが要求される。また、燃料電池１の電解質膜は、その熱信頼性を確保するために最高冷却水温が決められており、燃料電池１の冷却水出口部１ａでの冷却水温をある許容値（例えば９０℃）以下に抑える必要がある。
【００２６】
この目的のために、コントローラ４１は、燃料電池出口水温センサ３３およびラジエータ出口水温センサ３５の各検出値を取り込んで、三方弁１５が、ラジエータ３へ至る経路Ｂの冷却水量と、ラジエータバイパス流路１３に至る経路Ａの冷却水量を調整し、これらが混合した後の水温を、混合水温センサ３７で検出して一定に保つように制御する。
【００２７】
ここで、冷却水ポンプ９に対しては、燃料電池１の負荷（これは冷却水への放熱量にほぼ比例する）に応じて送水量を決めるように制御するので、上記したように燃料電池入口水温を制御すれば、燃料電池出口水温もそれに応じて適正な温度に制御される。
【００２８】
三方弁１５を、冷却水が全量ラジエータ３側（経路Ｂ）へ流れるよう切り替えても、混合水温センサ３７が検出する水温が目標値よりも高くなる場合は、冷却ファン１１を作動させて、ラジエータ出口水温センサ３５が検出するラジエータ出口水温を低下させる。
【００２９】
しかしながら、車両の走行状態は非定常で変化するため、燃料電池１の負荷すなわち冷却水への放熱量が変化し、また車速風の変動により、ラジエータ３の放熱量も変化する。
【００３０】
この変動に対して、燃料電池入口水温センサ３９が検出する燃料電池入口水温を一定に保つために前述のごとく制御するが、三方弁１５や冷却水ポンプ９，冷却ファン１１の応答性には限りがあるとともに、冷却水量が熱容量として作用するため、燃料電池入口水温は走行状態の変動に対して少なからず変動することになる。
【００３１】
そこで、燃料電池１の暖機終了後は、四方弁２７を経路Ｄとなるよう切り替え、冷却水を、低温側潜熱蓄熱材１９および高温側潜熱蓄熱材２１へ順次通過させた後、燃料電池１へ流入させる。
【００３２】
ここで、暖機終了後は、混合水温センサ３７が検出する水温は、燃料電池１の入口目標水温近辺になっているため、低温側潜熱蓄熱材１９は液化しており、高温側潜熱蓄熱材２１は固体となっている。
【００３３】
この状態で、車両走行状態が変動し、混合水温センサ３７が検出する水温が、低温側潜熱蓄熱材１９の相変化温度よりも低くなった場合には、冷却水は、低温側潜熱蓄熱材１９を流れる際に、低温側潜熱蓄熱材１９の凝固熱を吸収し、低温側潜熱蓄熱材１９の相変化温度まで温度上昇して、高温側潜熱蓄熱材３１に流出する。
【００３４】
高温側潜熱蓄熱材３１に流入する冷却水温は、ここでの高温側潜熱蓄熱材３１の相変化温度よりも低いため、高温側潜熱蓄熱材３１は、融解することなく固体のままで顕熱交換のみを行う。相変化熱量に対して顕熱は小さいので、冷却水はほぼ低温側潜熱蓄熱材１９の相変化温度相当で燃料電池１へ流入する。
【００３５】
一方、混合水温センサ３７が検出する水温が、高温側潜熱蓄熱材２１の相変化温度よりも高くなった場合には、冷却水は、低温側潜熱蓄熱材１９を流れる際に、低温側潜熱蓄熱材１９の相変化温度よりも高いので、低温側潜熱蓄熱材１９の凝固は起こらず、顕熱のみの熱交換となる。
【００３６】
上記低温側潜熱蓄熱材１９と顕熱のみの熱交換を行った冷却水が高温側潜熱蓄熱材２１に流入すると、この冷却水は、ここでの高温側潜熱蓄熱材２１の相変化温度よりも高いため、高温側潜熱蓄熱材２１は融解熱を冷却水から吸収する。したがって、冷却水はほぼ高温側潜熱蓄熱材２１の相変化温度相当で燃料電池１へ流入する。
【００３７】
このように、三方弁１５の作用によって混合された後の混合水温センサ３７が検出する水温が大きく変動した場合でも、燃料電池１の入口水温は、低温側潜熱蓄熱材１９の相変化温度と、高温側潜熱蓄熱材２１の相変化温度との間に入ることになって適正に確保されたものとなり、燃料電池１は常に最適な状態で作動する。
【００３８】
次に、燃料電池１の冷間始動時の制御について説明する。
【００３９】
冷間始動時は、三方弁１５を経路Ａとなるよう切り替え、冷却水の全量をラジエータバイパス流路１３に流し、冷却水加熱器１７を用いて冷却水を加熱する。
【００４０】
また、温度センサ３１により高温側潜熱蓄熱材２１の温度を検出し、この検出温度が混合水温センサ３７が検出する水温よりも低ければ、四方弁２７を経路Ｃとなるよう切り替え、冷却水を蓄熱材バイパス流路２３に流す。これにより冷却水は、蓄熱材部に熱量を吸収されることなく、燃料電池１の入口水温が迅速に上昇する。
【００４１】
燃料電池１が温まって混合水温センサ３７が検出する水温が燃料電池１の入口目標水温を上回ったら、四方弁２７を経路Ｄとなるよう切り替え、燃料電池１の排熱を蓄熱材１９および２１に吸収させる。一方、燃料電池１の入口水温が目標入口水温を下回ったら、  四方弁２７を経路Ｃとなるよう切り替えて、燃料電池１の入口水温を回復させる。すなわち、温度センサ２９で検出する低温側潜熱蓄熱材１９の温度が、ここでの相変化温度を上回るまでは、燃料電池１の入口水温制御を、四方弁２７の切り替えのみで行なう。
【００４２】
低温側潜熱蓄熱材１９の温度がここでの相変化温度を上回ったら、四方弁２７を経路Ｄとなるよう切り替え、三方弁１５および冷却ファン１１により、混合水温センサ３７が検出する水温を、燃料電池１の目標入口水温になるよう制御し、車速や負荷変動による水温変化を  蓄熱材１９，２１で吸収する。
【００４３】
次に、燃料電池１が運転停止してからの時間が短く、高温側潜熱蓄熱材２１の温度が混合水温センサ３７が検出する水温よりも高い場合、四方弁２７を経路Ｅとなるよう切り替え、冷却水に高温側潜熱蓄熱材２１に溜まった熱量を回収させ、水温上昇をさらに早くさせる。
【００４４】
以上の制御内容を、フローチャートにして図２〜図４に示す。
【００４５】
まず、冷却水ポンプ９を、燃料電池１の負荷情報に基づき、負荷に比例した流量の冷却水を流すように制御する（ステップ２０１）。次に、低温側潜熱蓄熱材１９の温度を温度センサ２９で検出し、その温度が低温側潜熱蓄熱材１９の相変化温度よりも低いかどうかを判断する（ステップ２０３）。ここで、低温側潜熱蓄熱材１９の温度がその相変化温度よりも低い場合には、暖機モードに入る。
【００４６】
図３に示す暖機モードでは、まず三方弁１５を経路Ａとなるよう切り替え（ステップ３０１）、混合水温センサ３７が検出する水温が燃料電池１の目標入口水温よりも高いかどうかを判断する（ステップ３０３）。ここで、混合水温センサ３７の検出温度が目標入口水温よりも高い場合には、四方弁２７を経路Ｄとなるよう切り替えて（ステップ３０５）、冷却水により低温側潜熱蓄熱材１９および高温側潜熱蓄熱材２１を加温するとともにに、燃料電池１の入口水温を規定値に保つ。
【００４７】
逆に、混合水温センサ３７の検出温度が、燃料電池１の目標入口水温以下の場合には、高温側潜熱蓄熱材２１の温度が混合水温センサ３７の検出温度以下かどうかを判断する（ステップ３０７）。ここで、高温側潜熱蓄熱材２１の温度が混合水温センサ３７の検出温度以下の場合は、四方弁２７を経路Ｃとなるよう切り替えて（ステップ３０９）、蓄熱材バイパス流路２３に冷却水を流す。
【００４８】
一方、高温側潜熱蓄熱材２１の温度が混合水温センサ３７の検出温度より高い場合、すなわち混合水温センサ３７が検出する冷却水温が高温側潜熱蓄熱材２１の温度よりも低い場合は、四方弁２７を経路Ｅとなるよう切り替えて（ステップ３１１）、高温側潜熱蓄熱材２１に蓄熱された熱を冷却水が回収し、この冷却水を燃料電池１へ流入させる。
【００４９】
前記図２のステップ２０３で、低温側潜熱蓄熱材１９の温度がその相変化温度以上の場合には、燃料電池１の暖機は終了しているので、通常の温度制御モードに進む。
【００５０】
通常の温度制御モードでは、図４に示すように、まず、四方弁２７を経路Ｄとなるよう切り替え（ステップ４０１）、蓄熱材部への経路を選択する。次に、燃料電池出口水温センサ３３，ラジエータ出口水温センサ３５，混合水温センサ３７により、それぞれ冷却水温度を検出し、混合水温センサ３７が検出する水温が燃料電池１の入口目標水温となるように、三方弁１５の開度を演算して決定する（ステップ４０３）。
【００５１】
その後、三方弁１５の開度が経路Ｂに対して１００％でかつ、混合水温センサ３７が検出する水温が目標水温以上かどうかを判断する（ステップ４０５）。ここで、三方弁１５の開度が経路Ｂに対して１００％でかつ、混合水温センサ３７が検出する水温が目標水温以上の場合は、混合水温センサ３７が検出する水温が、目標水温となるよう冷却ファン１１を作動させる（ステップ４０７）。
【００５２】
なお、上記した実施形態において、低温側と高温側の各蓄熱材１９，２１は、互いに直列に配置してあればよく、高温側潜熱蓄熱材２１を上流に、低温側潜熱蓄熱材１９を下流に、それぞれ配置しても構わない。また、高温側潜熱蓄熱材２１の温度が冷却水温より高い場合、高温側潜熱蓄熱材２１の熱を放出して冷却水を加熱したが、低温側潜熱蓄熱材１９も冷却水の加熱に用いてもよい。
【００５３】
以上のように、本実施形態によれば、次のような効果を奏する。
【００５４】
（１）燃料電池１の冷却水入口部１ｂに接続する冷却水入口流路７に、燃料電池１の目標入口水温よりも低温の相変化温度をもつ低温側潜熱蓄熱材１９と、高温の相変化温度を持つ高温側潜熱蓄熱材２１とを直列に備えた蓄熱材部を設けるとともに、この蓄熱材部の入口水温を検出する混合水温センサ３７を設け、蓄熱材部入口水温が低温側と高温側の各潜熱蓄熱材１９，２１の相変化温度の間に入るように、ラジエータ３に送風する冷却ファン１１および三方弁１５を作動させるようにしたので、車両負荷や車速などの変動により、蓄熱材部の入口水温が大きく変動した場合にも、燃料電池１の入口水温をほぼ一定に保つことができる。
【００５５】
（２）燃料電池１の暖機運転中は、冷却水を蓄熱材バイパス流路２３に流すようにしたので、燃料電池１の冷間時からの始動でも、蓄熱材部に無為に熱を取られることなく、水温の昇温性能を確保できる。
【００５６】
（３）混合水温センサ３７が検出する冷却水温が蓄熱材部の温度よりも低い場合は、冷却水を蓄熱材部を通過させて燃料電池１へ流すようにしたので、冷間始動時に、蓄熱材部に蓄熱された熱を冷却水に回収することができ、水温の昇温性能を向上することができる。
【００５７】
（４）高温側潜熱蓄熱材２１の温度を検出する温度センサ３１を設け、混合水温センサ３７が検出する冷却水温が、高温側潜熱蓄熱材２１の温度よりも低い場合は、冷却水を低温側潜熱蓄熱材バイパス流路２５に流すようにしたので、冷間始動時に、高温側潜熱蓄熱材２１に蓄熱された熱を冷却水に回収することができ、水温の昇温性能を向上することができる。このとき、低温側潜熱蓄熱材１９に蓄えられた熱量は、燃料電池１の暖機に使用しない。
【００５８】
低温側潜熱蓄熱材１９の役割は、暖機終了後の過渡走行中、水温が下がったときに放熱して冷却水温度を上げることなので、暖機中に放熱してしまうと，  暖機直後の過渡走行時に冷却水温が下がった場合、加熱する手段がなくなってしまう。そのため、高温側潜熱蓄熱材２１のみを暖機時の放熱に用いることにより、暖機後の燃料電池１の運転の安定性も確保することができる。
【００５９】
（５）低温側潜熱蓄熱材１９を高温側潜熱蓄熱材２１の上流側に配置して、低温側潜熱蓄熱材１９をバイパスする低温側潜熱蓄熱材バイパス流路２５を設けたので、低温側潜熱蓄熱材バイパス流路２５の上流側端部を、蓄熱材部バイパス流路２３の上流側端部とともに冷却水入口流路７に接続して、この接続部に１つの四方弁２７を設置することができ、冷却水路の構造が簡単になる。
【図面の簡単な説明】
【図１】この発明の一実施形態に係わる燃料電池システムの全体構成図である。
【図２】図１の実施形態に係わる燃料電池システムにおける制御動作を示すフローチャートである。
【図３】図２の制御動作における暖機モードを示すフローチャートである。
【図４】図２の制御動作における通常温度制御モードを示すフローチャートである。
【符号の説明】
１  燃料電池
１ｂ  冷却水入口部
３  ラジエータ
５  冷却水出口流路（冷却水循環流路）
７  冷却水入口流路（冷却水循環流路）
９  冷却水ポンプ
１１  冷却ファン
１３  ラジエータバイパス流路
１５  三方弁（ラジエータバイパス流路切替弁）
１９  低温側潜熱蓄熱材（蓄熱材部）
２１  高温側潜熱蓄熱材（蓄熱材部）
２３  蓄熱材バイパス流路
２５  低温側潜熱蓄熱材バイパス流路
２７  四方弁（蓄熱材バイパス流路切替弁）
３１  蓄熱材部の温度を検出する温度センサ
３７  蓄熱材部の入口水温を検出する水温センサ
【図１】
2004247096.tif 000003
【図２】
2004247096.tif 000004
【図３】
2004247096.tif 000005
【図４】
2004247096.tif 000006